(57)【要約】【課題】地域限定配信しない場合も緊急警報放送の運用を可能とし、運用コストを下げることができるＩＰ伝送における緊急警報放送配信システムを提供する。【解決手段】送出側装置１００では、メディアストリーム中のＰＭＴを調べて緊急警報放送の実施情報を出力し（１０３）、メディアストリームを送出し（１０６）、前記実施情報に基づいて緊急警報放送通知情報を生成して送出する（１０７，１０８）。受信側装置２００では、前記送出された緊急警報放送通知情報を受信した情報に基づいて、設定値２０３に設定された地域情報が、前記緊急警報放送通知情報内の地域情報で示される受信対象地域に含まれるか否かを判定し、含まれる場合に緊急警報放送の実施をユーザーに提示し、ユーザーがその受信を選択したらその放送のチャンネルを選局し、再生する（２０１〜２０７）。【選択図】図３
2010093660.tif 000002
【特許請求の範囲】
【請求項１】
送出側装置と受信側装置を備え、緊急警報放送をＩＰネットワークを介してＩＰ伝送するＩＰ伝送における緊急警報放送配信システムであって、
前記送出側装置は、
メディアストリームを入力とし、該メディアストリーム中のＰＭＴ（プログラムマップテーブル）内の緊急情報記述子に、緊急警報放送の運用がなされていることを示す情報が存在するか否かを判定し、存在する場合に、当該緊急警報放送が運用されているＴＳ（トランスポートストリーム）の識別情報、受信対象地域を示す地域情報および緊急警報放送の運用がなされていることを示す情報を含む緊急警報放送の実施情報を出力する緊急警報放送通知情報生成制御手段と、
前記緊急警報放送通知情報生成制御手段に入力されたメディアストリームを前記ＩＰネットワークへ送出するメディアストリーム送出手段と、
前記緊急警報放送通知情報生成制御手段から出力される緊急警報放送の実施情報を入力とし、該実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成する緊急警報放送通知情報生成手段と、
前記緊急警報放送通知情報生成手段により生成された緊急警報放送通知情報を前記ＩＰネットワークへ送出する緊急警報放送通知情報送出手段とを備え、
前記受信側装置は、
地域情報が設定される設定手段と、
前記ＩＰネットワークを介して送出された緊急警報放送通知情報を受信した情報を入力とし、該緊急警報放送通知情報内の緊急警報放送の運用がなされているか否かを示す情報が、運用がなされていることを示す情報であるかどうかを判定し、緊急警報放送の運用がなされていることを示す情報である場合に、前記設定手段に設定された地域情報の地域が、前記緊急警報放送通知情報内の地域情報で示される受信対象地域に含まれるか否かを判定し、含まれる場合に、緊急警報放送が実施されていることをユーザーに提示し、ユーザーによって前記緊急警報放送の受信を選択する操作があるか否かを判定し、該操作があった場合に、前記緊急警報放送通知情報内の緊急警報放送が実施されているＴＳの識別情報とともに選局促進通知を出力する緊急警報放送通知情報処理手段と、
前記緊急警報放送通知情報処理手段から出力される、緊急警報放送が実施されているＴＳの識別情報および選局促進通知を入力とし、前記ＴＳの識別情報により特定されるチャンネルを選局する選局手段とを備え、
前記ＩＰネットワークを介して送出され、前記選局手段により選局されたチャンネルのメディアストリームを受信し、再生することを特徴とするＩＰ伝送における緊急警報放送配信システム。
【請求項２】
送出側装置と受信側装置を備え、緊急警報放送をＩＰネットワークを介してＩＰ伝送するＩＰ伝送における緊急警報放送配信方法であって、
前記送出側装置の緊急警報放送通知情報生成制御手段が、メディアストリームを入力し、該メディアストリーム中のＰＭＴ（プログラムマップテーブル）内の緊急情報記述子に、緊急警報放送の運用がなされていることを示す情報が存在するか否かを判定するステップと、
前記判定の結果、情報が存在する場合に、当該緊急警報放送が運用されているＴＳ（トランスポートストリーム）の識別情報、受信対象地域を示す地域情報および緊急警報放送の運用がなされていることを示す情報を含む緊急警報放送の実施情報を出力するステップと、
前記判定の結果、情報が存在しない場合に、当該緊急警報放送の運用がなされていないＴＳの識別情報および緊急警報放送の運用がなされていないことを示す情報を含む緊急警報放送の実施情報を出力するステップと、
前記入力されたメディアストリームを出力するステップと、
メディアストリーム送出手段が、前記緊急警報放送通知情報生成制御手段から出力されたメディアストリームを前記ＩＰネットワークへ送出するステップと、
緊急警報放送通知情報生成手段が、前記緊急警報放送通知情報生成制御手段から出力される緊急警報放送の実施情報を入力し、該実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成するステップと、
緊急警報放送通知情報送出手段が、前記緊急警報放送通知情報生成手段により生成された緊急警報放送通知情報を前記ＩＰネットワークへ送出するステップと、
前記受信側装置の緊急警報放送通知情報処理手段が、前記ＩＰネットワークを介して送出された緊急警報放送通知情報を受信した情報を入力し、該緊急警報放送通知情報内の緊急警報放送の運用がなされているか否かを示す情報が、運用がなされていることを示す情報であるかどうかを判定する第１の判定ステップと、
前記第１の判定ステップの判定結果が、緊急警報放送の運用がなされていることを示す情報である場合に、設定手段に設定された地域情報の地域が、前記緊急警報放送通知情報内の地域情報で示される受信対象地域に含まれるか否かを判定する第２の判定ステップと、
前記第２の判定ステップの判定結果が、前記受信対象地域に含まれる場合に、緊急警報放送が実施されていることをユーザーに提示するステップと、
ユーザーによって前記緊急警報放送の受信を選択する操作があるか否かを判定する第３の判定ステップと、
前記第３の判定ステップの判定結果、前記操作があった場合に、前記緊急警報放送通知情報内の緊急警報放送が実施されているＴＳの識別情報とともに選局促進通知を出力するステップと、
選局手段が、前記緊急警報放送通知情報処理手段から出力される、緊急警報放送が実施されているＴＳの識別情報および選局促進通知を入力し、前記ＴＳの識別情報により特定されるチャンネルを選局するステップと、
受信側装置が、前記ＩＰネットワークを介して送出され、前記選局手段により選局されたチャンネルのメディアストリームを受信し、再生するステップとを備えたことを特徴とするＩＰ伝送における緊急警報放送配信方法。
【請求項３】
コンピュータを請求項１に記載の各手段として機能させるＩＰ伝送における緊急警報放送配信プログラム。
【請求項４】
メディアストリームを入力とし、該メディアストリーム中に存在する緊急警報放送の実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成し、該緊急警報放送通知情報およびメディアストリームを送出する送出側装置と、受信側装置とを備え、緊急警報放送をＩＰネットワークを介してＩＰ伝送するＩＰ伝送における緊急警報放送配信システムの受信側装置であって、
地域情報が設定される設定手段と、
前記送出側装置からＩＰネットワークを介して送出された緊急警報放送通知情報を受信した情報を入力とし、該緊急警報放送通知情報内の緊急警報放送の運用がなされているか否かを示す情報が、運用がなされていることを示す情報であるかどうかを判定し、緊急警報放送の運用がなされていることを示す情報である場合に、前記設定手段に設定された地域情報の地域が、前記緊急警報放送通知情報内の地域情報で示される受信対象地域に含まれるか否かを判定し、含まれる場合に、緊急警報放送が実施されていることをユーザーに提示し、ユーザーによって前記緊急警報放送の受信を選択する操作があるか否かを判定し、該操作があった場合に、前記緊急警報放送通知情報内の緊急警報放送が実施されているＴＳの識別情報とともに選局促進通知を出力する緊急警報放送通知情報処理手段と、
前記緊急警報放送通知情報処理手段から出力される、緊急警報放送が実施されているＴＳの識別情報および選局促進通知を入力とし、前記ＴＳの識別情報により特定されるチャンネルを選局する選局手段とを備え、
前記ＩＰネットワークを介して送出され、前記選局手段により選局されたチャンネルのメディアストリームを受信し、再生することを特徴とするＩＰ伝送における緊急警報放送配信システムの受信側装置。
【請求項５】
メディアストリームを入力とし、該メディアストリーム中に存在する緊急警報放送の実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成し、該緊急警報放送通知情報およびメディアストリームを送出する送出側装置と、受信側装置とを備え、緊急警報放送をＩＰネットワークを介してＩＰ伝送するＩＰ伝送における緊急警報放送配信システムの受信側装置の処理方法であって、
緊急警報放送通知情報処理手段が、前記ＩＰネットワークを介して送出された緊急警報放送通知情報を受信した情報を入力し、該緊急警報放送通知情報内の緊急警報放送の運用がなされているか否かを示す情報が、運用がなされていることを示す情報であるかどうかを判定する第１の判定ステップと、
前記第１の判定ステップの判定結果が、緊急警報放送の運用がなされていることを示す情報である場合に、設定手段に設定された地域情報の地域が、前記緊急警報放送通知情報内の地域情報で示される受信対象地域に含まれるか否かを判定する第２の判定ステップと、
前記第２の判定ステップの判定結果が、前記受信対象地域に含まれる場合に、緊急警報放送が実施されていることをユーザーに提示するステップと、
ユーザーによって前記緊急警報放送の受信を選択する操作があるか否かを判定する第３の判定ステップと、
前記第３の判定ステップの判定結果、前記操作があった場合に、前記緊急警報放送通知情報内の緊急警報放送が実施されているＴＳの識別情報とともに選局促進通知を出力するステップと、
選局手段が、前記緊急警報放送通知情報処理手段から出力される、緊急警報放送が実施されているＴＳの識別情報および選局促進通知を入力し、前記ＴＳの識別情報により特定されるチャンネルを選局するステップと、
受信側装置が、前記ＩＰネットワークを介して送出され、前記選局手段により選局されたチャンネルのメディアストリームを受信し、再生するステップとを備えたことを特徴とするＩＰ伝送における緊急警報放送配信システムの受信側装置の処理方法。
【請求項６】
コンピュータを請求項４に記載の各手段として機能させるＩＰ伝送における緊急警報放送配信システムの受信側装置の処理プログラム。
【請求項７】
メディアストリームを入力とし、該メディアストリーム中に存在する緊急警報放送の実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成し、該緊急警報放送通知情報およびメディアストリームを送出する送出側装置と、受信側装置とを備え、緊急警報放送をＩＰネットワークを介してＩＰ伝送するＩＰ伝送における緊急警報放送配信システムの受信側装置であって、
前記ＩＰネットワークを介して送出された緊急警報放送通知情報を受信する緊急警報放送通知情報受信手段と、
前記緊急警報放送通知情報受信手段で受信された緊急警報放送通知情報を入力とし、緊急警報放送が実施されていることをユーザーに提示し、ユーザーによって前記緊急警報放送の受信を選択する操作があった場合に、前記緊急警報放送通知情報内の緊急警報放送が実施されているＴＳの識別情報とともに選局促進通知を出力する緊急警報放送通知情報処理手段と、
前記緊急警報放送通知情報処理手段から出力される、緊急警報放送が実施されているＴＳの識別情報および選局促進通知を入力とし、前記ＴＳの識別情報により特定されるチャンネルを選局する指令を発する選局手段と、
前記ＩＰネットワークを介して送出されたメディアストリームおよび前記選局手段から発せられた指令を入力とし、該指令により指定されたチャンネルのメディアストリームを出力するメディアストリーム受信手段と、
前記メディアストリーム受信手段から出力されたメディアストリームを入力とし、該メディアストリーム中の緊急情報記述子を確認し、緊急警報放送のメディアストリームを出力するＰＳＩ処理手段と、
前記ＰＳＩ処理手段から出力されたメディアストリームを再生する再生手段とを備えたことを特徴とするＩＰ伝送における緊急警報放送配信システムの受信側装置。
【発明の詳細な説明】
【技術分野】
【０００１】
本発明は、映像、音声、字幕、データ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｃｉｅ  Ｉｎｆｏｒｍａｔｉｏｎ）などから構成されるデジタル放送をＩＰ伝送する際において、送出側設備や伝送ネットワークにて緊急警報放送通知情報を地域限定配信する機能を持たない場合においても、緊急警報放送のＩＰ配信を可能とするための方法に関するものである。
【背景技術】
【０００２】
デジタル放送では、地震津波のような災害が発生したときなどに受信機が自動的に起動して視聴者により早く緊急情報を知らせるための、緊急警報放送（Ｅｍｅｒｇｅｎｃｙ  Ｗａｒｎｉｎｇ  Ｓｙｓｔｅｍ：ＥＷＳ）が運用される（非特許文献１参照）。
【０００３】
緊急警報放送は、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）に特別な起動ビットを含ませることと、ＰＳＩの運用により実現される。ＴＭＣＣには緊急警報放送用の起動制御信号（緊急警報放送用起動フラグ）が割り当てられており、受信機はこのビットを監視することによって、受信機の起動制御が実現できる。また、ＥＷＳに関する詳細な情報は、ＰＭＴ（Ｐｒｏｇｒａｍ  Ｍａｐ  Ｔａｂｌｅ）に記載される緊急情報記述子によって伝送される。ＴＭＣＣの起動制御信号により自動起動した受信機は、対象となるＴＳ（Ｔｒａｎｓｐｏｒｔ  Ｓｔｒｅａｍ）を受信し、ＰＭＴ中の緊急情報記述子に記載される地域符号が受信機に設定されている地域符号に該当していれば、自動的に緊急警報放送を選局し、視聴を開始する（非特許文献２参照）。
【０００４】
このような緊急警報放送をＩＰ伝送する際に、ＴＭＣＣの緊急警報放送用の起動制御信号相当の情報を、緊急警報放送通知情報としてＩＰ伝送する方法がある（非特許文献３参照）。この場合、受信機が上記デジタル放送受信時と同じ動作をすると、緊急警報放送通知情報の受信に伴い、ＴＳを受信しＰＭＴを確認するために、緊急警報放送通知情報を受信した受信機が同時一斉にＩＰネットワークに対して選局信号を送信することとなるため、ＩＰネットワークに対して多大な負荷がかかる。これを避ける方法としては、緊急警報放送通知情報受信時に、直接ＴＳ受信を行うのではなく、事前にユーザーへの通知画面をはさむことにより、ユーザー操作を介することにてそのタイミングを分散する方法がある（非特許文献４参照）。
【非特許文献１】「地上デジタルテレビジョン放送用規定」、ＡＲＩＢ  ＴＲ−Ｂ１４  ３．６版、平成２０年６月６日、第７編  ７．９  緊急警報放送（ＥＷＳ）の運用、ｐｐ．７−３８〜７−３９
【非特許文献２】「地上デジタルテレビジョン放送用規定」、ＡＲＩＢ  ＴＲ−Ｂ１４  ３．６版、平成２０年６月６日、第２編  ６．１１．４  緊急警報放送（ＥＷＳ）受信、ｐｐ．２−３１〜２−３２
【非特許文献３】「地上デジタルテレビジョン放送ＩＰ再送信運用規定」、ＩＰＴＶＦＪ  ＳＴＤ−０００５  １．１版、２００８年９月１日、第７編  ６．３  緊急警報放送（ＥＷＳ）の伝送方法、ｐｐ．７−２１〜７−２４
【非特許文献４】「地上デジタルテレビジョン放送ＩＰ再送信運用規定」、ＩＰＴＶＦＪ  ＳＴＤ−０００５  １．１版、２００８年９月１日、第２編  ６．１１．２  緊急警報放送（ＥＷＳ）受信、ｐｐ．２−３８〜２−４０
【発明の開示】
【発明が解決しようとする課題】
【０００５】
前記のようにＩＰネットワークに対してかかる負荷を減らすために、事前にユーザーへの通知画面をはさんでユーザー操作を介する方法は、緊急警報放送通知情報が地域ごとに限定して配信されることを前提としており、そうでない場合には緊急警報放送の対象地域外にも関わらず、ユーザーへの通知画面が表示されてしまう。緊急警報放送の対象地域外の場合、ユーザーへの通知画面を配信しない様にするには、緊急警報放送通知情報の地域ごとに限定した配信を行わねばならない。ＢＳデジタル放送のように、地域限定性を伴わない全国一律での配信を行う放送サービスに、地域ごとに限定した配信の仕組みを導入するには、送信設備やネットワークの運用コストが高くなる。
【０００６】
本発明は上記課題を解決するものであり、その目的は、地域限定配信を行わない場合にも緊急警報放送の運用を可能とし、運用コストを下げることができるＩＰ伝送における緊急警報放送配信システム、方法、プログラムを提供することにある。
【課題を解決するための手段】
【０００７】
本発明は、映像、音声、字幕、データ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｃｉｅ  Ｉｎｆｏｒｍａｔｉｏｎ）などから構成されるデジタル放送をＩＰ伝送する場合において、図１に示す緊急警報放送通知情報を用いる。そして、ＩＰ伝送されるすべてのチャンネルのＴＭＣＣ起動制御信号相当の情報をまとめた緊急警報放送通知情報に、さらに図２の破線内に示すように、ＰＭＴ中の緊急情報記述子に記載される地域符号相当の情報を加える。受信機は、ＴＳ受信前にこの地域符号相当の情報を用いて、当該緊急警報放送が受信すべき対象かどうかの判断を行う。
【０００８】
本発明の請求項１に記載のＩＰ伝送における緊急警報放送配信システムは、送出側装置と受信側装置を備え、緊急警報放送をＩＰネットワークを介してＩＰ伝送するＩＰ伝送における緊急警報放送配信システムであって、前記送出側装置は、メディアストリームを入力とし、該メディアストリーム中のＰＭＴ（プログラムマップテーブル）内の緊急情報記述子に、緊急警報放送の運用がなされていることを示す情報が存在するか否かを判定し、存在する場合に、当該緊急警報放送が運用されているＴＳ（トランスポートストリーム）の識別情報、受信対象地域を示す地域情報および緊急警報放送の運用がなされていることを示す情報を含む緊急警報放送の実施情報を出力する緊急警報放送通知情報生成制御手段と、前記緊急警報放送通知情報生成制御手段に入力されたメディアストリームを前記ＩＰネットワークへ送出するメディアストリーム送出手段と、前記緊急警報放送通知情報生成制御手段から出力される緊急警報放送の実施情報を入力とし、該実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成する緊急警報放送通知情報生成手段と、前記緊急警報放送通知情報生成手段により生成された緊急警報放送通知情報を前記ＩＰネットワークへ送出する緊急警報放送通知情報送出手段とを備え、前記受信側装置は、地域情報が設定される設定手段と、前記ＩＰネットワークを介して送出された緊急警報放送通知情報を受信した情報を入力とし、該緊急警報放送通知情報内の緊急警報放送の運用がなされているか否かを示す情報が、運用がなされていることを示す情報であるかどうかを判定し、緊急警報放送の運用がなされていることを示す情報である場合に、前記設定手段に設定された地域情報の地域が、前記緊急警報放送通知情報内の地域情報で示される受信対象地域に含まれるか否かを判定し、含まれる場合に、緊急警報放送が実施されていることをユーザーに提示し、ユーザーによって前記緊急警報放送の受信を選択する操作があるか否かを判定し、該操作があった場合に、前記緊急警報放送通知情報内の緊急警報放送が実施されているＴＳの識別情報とともに選局促進通知を出力する緊急警報放送通知情報処理手段と、前記緊急警報放送通知情報処理手段から出力される、緊急警報放送が実施されているＴＳの識別情報および選局促進通知を入力とし、前記ＴＳの識別情報により特定されるチャンネルを選局する選局手段とを備え、前記ＩＰネットワークを介して送出され、前記選局手段により選局されたチャンネルのメディアストリームを受信し、再生することを特徴としている。
【０００９】
また、請求項２に記載のＩＰ伝送における緊急警報放送配信方法は、送出側装置と受信側装置を備え、緊急警報放送をＩＰネットワークを介してＩＰ伝送するＩＰ伝送における緊急警報放送配信方法であって、前記送出側装置の緊急警報放送通知情報生成制御手段が、メディアストリームを入力し、該メディアストリーム中のＰＭＴ（プログラムマップテーブル）内の緊急情報記述子に、緊急警報放送の運用がなされていることを示す情報が存在するか否かを判定するステップと、前記判定の結果、情報が存在する場合に、当該緊急警報放送が運用されているＴＳ（トランスポートストリーム）の識別情報、受信対象地域を示す地域情報および緊急警報放送の運用がなされていることを示す情報を含む緊急警報放送の実施情報を出力するステップと、前記判定の結果、情報が存在しない場合に、当該緊急警報放送の運用がなされていないＴＳの識別情報および緊急警報放送の運用がなされていないことを示す情報を含む緊急警報放送の実施情報を出力するステップと、前記入力されたメディアストリームを出力するステップと、メディアストリーム送出手段が、前記緊急警報放送通知情報生成制御手段から出力されたメディアストリームを前記ＩＰネットワークへ送出するステップと、緊急警報放送通知情報生成手段が、前記緊急警報放送通知情報生成制御手段から出力される緊急警報放送の実施情報を入力し、該実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成するステップと、緊急警報放送通知情報送出手段が、前記緊急警報放送通知情報生成手段により生成された緊急警報放送通知情報を前記ＩＰネットワークへ送出するステップと、前記受信側装置の緊急警報放送通知情報処理手段が、前記ＩＰネットワークを介して送出された緊急警報放送通知情報を受信した情報を入力し、該緊急警報放送通知情報内の緊急警報放送の運用がなされているか否かを示す情報が、運用がなされていることを示す情報であるかどうかを判定する第１の判定ステップと、前記第１の判定ステップの判定結果が、緊急警報放送の運用がなされていることを示す情報である場合に、設定手段に設定された地域情報の地域が、前記緊急警報放送通知情報内の地域情報で示される受信対象地域に含まれるか否かを判定する第２の判定ステップと、前記第２の判定ステップの判定結果が、前記受信対象地域に含まれる場合に、緊急警報放送が実施されていることをユーザーに提示するステップと、ユーザーによって前記緊急警報放送の受信を選択する操作があるか否かを判定する第３の判定ステップと、前記第３の判定ステップの判定結果、前記操作があった場合に、前記緊急警報放送通知情報内の緊急警報放送が実施されているＴＳの識別情報とともに選局促進通知を出力するステップと、選局手段が、前記緊急警報放送通知情報処理手段から出力される、緊急警報放送が実施されているＴＳの識別情報および選局促進通知を入力し、前記ＴＳの識別情報により特定されるチャンネルを選局するステップと、受信側装置が、前記ＩＰネットワークを介して送出され、前記選局手段により選局されたチャンネルのメディアストリームを受信し、再生するステップとを備えたことを特徴としている。
【００１０】
また、請求項３に記載のＩＰ伝送における緊急警報放送配信プログラムは、コンピュータを請求項１に記載の各手段として機能させるＩＰ伝送における緊急警報放送配信プログラムである。
【００１１】
また、請求項４に記載のＩＰ伝送における緊急警報放送配信システムの受信側装置は、メディアストリームを入力とし、該メディアストリーム中に存在する緊急警報放送の実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成し、該緊急警報放送通知情報およびメディアストリームを送出する送出側装置と、受信側装置とを備え、緊急警報放送をＩＰネットワークを介してＩＰ伝送するＩＰ伝送における緊急警報放送配信システムの受信側装置であって、地域情報が設定される設定手段と、前記送出側装置からＩＰネットワークを介して送出された緊急警報放送通知情報を受信した情報を入力とし、該緊急警報放送通知情報内の緊急警報放送の運用がなされているか否かを示す情報が、運用がなされていることを示す情報であるかどうかを判定し、緊急警報放送の運用がなされていることを示す情報である場合に、前記設定手段に設定された地域情報の地域が、前記緊急警報放送通知情報内の地域情報で示される受信対象地域に含まれるか否かを判定し、含まれる場合に、緊急警報放送が実施されていることをユーザーに提示し、ユーザーによって前記緊急警報放送の受信を選択する操作があるか否かを判定し、該操作があった場合に、前記緊急警報放送通知情報内の緊急警報放送が実施されているＴＳの識別情報とともに選局促進通知を出力する緊急警報放送通知情報処理手段と、前記緊急警報放送通知情報処理手段から出力される、緊急警報放送が実施されているＴＳの識別情報および選局促進通知を入力とし、前記ＴＳの識別情報により特定されるチャンネルを選局する選局手段とを備え、前記ＩＰネットワークを介して送出され、前記選局手段により選局されたチャンネルのメディアストリームを受信し、再生することを特徴としている。
【００１２】
また、請求項５に記載のＩＰ伝送における緊急警報放送配信システムの受信側装置の処理方法は、メディアストリームを入力とし、該メディアストリーム中に存在する緊急警報放送の実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成し、該緊急警報放送通知情報およびメディアストリームを送出する送出側装置と、受信側装置とを備え、緊急警報放送をＩＰネットワークを介してＩＰ伝送するＩＰ伝送における緊急警報放送配信システムの受信側装置の処理方法であって、緊急警報放送通知情報処理手段が、前記ＩＰネットワークを介して送出された緊急警報放送通知情報を受信した情報を入力し、該緊急警報放送通知情報内の緊急警報放送の運用がなされているか否かを示す情報が、運用がなされていることを示す情報であるかどうかを判定する第１の判定ステップと、前記第１の判定ステップの判定結果が、緊急警報放送の運用がなされていることを示す情報である場合に、設定手段に設定された地域情報の地域が、前記緊急警報放送通知情報内の地域情報で示される受信対象地域に含まれるか否かを判定する第２の判定ステップと、前記第２の判定ステップの判定結果が、前記受信対象地域に含まれる場合に、緊急警報放送が実施されていることをユーザーに提示するステップと、ユーザーによって前記緊急警報放送の受信を選択する操作があるか否かを判定する第３の判定ステップと、前記第３の判定ステップの判定結果、前記操作があった場合に、前記緊急警報放送通知情報内の緊急警報放送が実施されているＴＳの識別情報とともに選局促進通知を出力するステップと、選局手段が、前記緊急警報放送通知情報処理手段から出力される、緊急警報放送が実施されているＴＳの識別情報および選局促進通知を入力し、前記ＴＳの識別情報により特定されるチャンネルを選局するステップと、受信側装置が、前記ＩＰネットワークを介して送出され、前記選局手段により選局されたチャンネルのメディアストリームを受信し、再生するステップとを備えたことを特徴としている。
【００１３】
また、請求項６に記載のＩＰ伝送における緊急警報放送配信システムの受信側装置の処理プログラムは、コンピュータを請求項４に記載の各手段として機能させるＩＰ伝送における緊急警報放送配信システムの受信側装置の処理プログラムである。
【００１４】
また、請求項７に記載のＩＰ伝送における緊急警報放送配信システムの受信側装置は、メディアストリームを入力とし、該メディアストリーム中に存在する緊急警報放送の実施情報に基づいて、緊急警報放送の運用がなされているか否かを示す情報、緊急警報放送の受信対象地域を示す地域情報および緊急警報放送が実施されているＴＳの識別情報を含む緊急警報放送通知情報を生成し、該緊急警報放送通知情報およびメディアストリームを送出する送出側装置と、受信側装置とを備え、緊急警報放送をＩＰネットワークを介してＩＰ伝送するＩＰ伝送における緊急警報放送配信システムの受信側装置であって、前記ＩＰネットワークを介して送出された緊急警報放送通知情報を受信する緊急警報放送通知情報受信手段と、前記緊急警報放送通知情報受信手段で受信された緊急警報放送通知情報を入力とし、緊急警報放送が実施されていることをユーザーに提示し、ユーザーによって前記緊急警報放送の受信を選択する操作があった場合に、前記緊急警報放送通知情報内の緊急警報放送が実施されているＴＳの識別情報とともに選局促進通知を出力する緊急警報放送通知情報処理手段と、前記緊急警報放送通知情報処理手段から出力される、緊急警報放送が実施されているＴＳの識別情報および選局促進通知を入力とし、前記ＴＳの識別情報により特定されるチャンネルを選局する指令を発する選局手段と、前記ＩＰネットワークを介して送出されたメディアストリームおよび前記選局手段から発せられた指令を入力とし、該指令により指定されたチャンネルのメディアストリームを出力するメディアストリーム受信手段と、前記メディアストリーム受信手段から出力されたメディアストリームを入力とし、該メディアストリーム中の緊急情報記述子を確認し、緊急警報放送のメディアストリームを出力するＰＳＩ処理手段と、前記ＰＳＩ処理手段から出力されたメディアストリームを再生する再生手段とを備えたことを特徴としている。
【発明の効果】
【００１５】
本発明によれば、デジタル放送における緊急警報放送をＩＰネットワークで伝送する際に、伝送時に地域ごとに限定した配信を行わない場合にも緊急警報放送の運用を可能とし、運用コストを下げることができる。
【発明を実施するための最良の形態】
【００１６】
以下、図面を参照しながら本発明の実施の形態を説明するが、本発明は下記の実施形態例に限定されるものではない。
【００１７】
図３に、本実施形態例のＩＰ伝送における緊急警報放送配信システム全体の機能ブロック図を示す。図３において、１００は送出側装置、２００は受信側装置、３００は送出側装置１００と受信側装置２００を結ぶＩＰネットワークである。
【００１８】
送出側装置１００内の１０１は番組コンテンツであり、１０２は番組コンテンツ１０１を再生する再生手段の再生機能を示している。１０４は放送波を受信するアンテナであり、１０５はアンテナ１０４で受信された放送波をデジタル信号に変換するチューナーである。
【００１９】
１０３は、再生機能１０２またはチューナー１０５から出力されたメディアストリーム中のＰＭＴ内の緊急情報記述子を監視して、後述する緊急警報放送の実施情報を出力し、メディアストリームを出力する緊急警報放送通知情報生成制御手段が行う、緊急警報放送通知情報生成制御機能を示している。
【００２０】
１０６は、前記緊急警報放送通知情報生成制御機能１０３から出力されたメディアストリームをＩＰネットワーク３００へ送出するメディアストリーム送出手段が行う、メディアストリーム送出機能を示している。
【００２１】
１０７は、前記緊急警報放送通知情報生成制御機能103から出力された緊急警報放送の実施情報に基づいて、後述する緊急警報放送通知情報を生成する緊急警報放送通知情報生成手段が行う、緊急警報放送通知情報生成機能を示している。
【００２２】
１０８は、前記緊急警報放送通知情報生成機能１０７で生成された緊急警報放送通知情報をＩＰネットワーク３００へ送出する、緊急警報放送通知情報送出手段の緊急警報放送通知情報送出機能を示している。
【００２３】
２０１は、前記ＩＰネットワーク３００を介して送出された緊急警報放送通知情報を受信する緊急警報放送通知情報受信手段の緊急警報放送通知情報受信機能を示している。
【００２４】
２０２は、前記受信機２０１から出力される緊急警報放送通知情報を入力とし、後述の処理を行って緊急警報放送が実施されているＴＳの識別情報および選局促進通知を出力する、緊急警報放送通知情報処理手段の緊急警報放送通知情報処理機能を示している。
【００２５】
２０３は、地域情報が設定される設定手段の設定値を示している。
【００２６】
２０４は、前記緊急警報放送通知情報処理機能２０２から出力される、緊急警報放送が実施されているＴＳの識別情報および選局促進通知を入力とし、後述の処理を行って前記ＴＳの識別情報により特定されるチャンネルを選局する指令を発する選局手段の選局機能を示している。
【００２７】
２０５は、前記ＩＰネットワーク３００を介して送出されたメディアストリームおよび前記選局機能２０４から発せられた指令を入力とし、該指令により指定されたチャンネルのメディアストリームを出力するメディアストリーム受信手段のメディアストリーム受信機能を示している。
【００２８】
２０６は、前記メディアストリーム受信機能２０５から出力されたメディアストリームを入力とし、該メディアストリーム中の緊急情報記述子を確認し、緊急警報放送のメディアストリームを出力するＰＳＩ処理手段のＰＳＩ処理機能を示している。
【００２９】
２０７は、前記ＰＳＩ処理機能２０６から出力されたメディアストリームを再生する再生手段の再生機能を示している。
【００３０】
次に、送出側装置１００の機能ブロック毎の処理フローを説明する。  
【００３１】
再生機能１０２は番組コンテンツ１０１を再生し、緊急警報放送通知情報生成制御機能１０３へメディアストリームを出力する。または、アンテナ１０４は放送波を受信し、チューナー１０５に放送波を出力し、チューナー１０５は入力された放送波をデジタル信号へ変換してメディアストリームとして緊急警報放送通知情報生成制御機能１０３へ出力する。
【００３２】
緊急警報放送通知情報生成制御機能１０３では、入力されたメディアストリームに含まれるＰＭＴ中の緊急情報記述子の監視と、メディアストリームの送出機能１０６への出力処理を実施する。ＰＭＴ中の緊急情報記述子の監視とは、ＰＭＴ中に緊急警報放送の運用がなされていることを示す情報が含まれる（ｓｔａｒｔ＿ｅｎｄ＿ｆｌａｇ＝１となっている緊急情報記述子が存在する）場合に、その運用中の緊急警報放送に関する情報（緊急警報放送が運用されているＴＳのＴＳ＿ｉｄ、受信対象範囲となる地域符号）をＰＡＴ（Ｐｒｏｇｒａｍ  Ａｓｓｏｃｉａｔｉｏｎ  Ｔａｂｌｅ）及びＰＭＴ中の緊急情報記述子よりそれぞれ抽出し、緊急警報放送通知情報生成機能１０７に伝達する処理である。緊急警報放送通知情報生成制御機能１０３の処理フロー例を図４とともに説明する。
【００３３】
尚、以下で説明する図４、図５のフローチャートにおいて、「Ｓ」は各処理のステップを示すものとする。
【００３４】
Ｓ４０１：再生機能１０２もしくはチューナー１０５からメディアストリームの入力を受け、Ｓ４０２へ進む。
【００３５】
Ｓ４０２：Ｓ４０１にて入力されたメディアストリームよりＰＭＴを抽出し、ｓｔａｒｔ＿ｅｎｄ＿ｆｌａｇ＝１となっている緊急情報記述子が配置されている場合にはＳ４０３へ、配置されていない場合にはＳ４０４へ進む。
【００３６】
Ｓ４０３：緊急警報放送通知情報生成機能１０７へ、Ｓ４０１にて入力されたメディアストリーム中のＰＡＴより取得されるＴＳ＿ｉｄ（ｔｒａｎｓｐｏｒｔ＿ｓｔｒｅａｍ＿ｉｄ）及びＳ４０２にて取得されたＰＭＴの緊急情報記述子中の地域符号（ａｒｅａ＿ｃｏｄｅ）を受け渡すとともに、緊急警報放送通知情報生成機能１０７へ当該ＴＳ（受け渡したＴＳ＿ｉｄで指定されるＴＳ）にて緊急警報放送が実施されていることを通知し、Ｓ４０５へ進む。
【００３７】
Ｓ４０４：緊急警報放送通知情報生成機能１０７へ、Ｓ４０１にて入力されたメディアストリーム中のＰＡＴより取得されるＴＳ＿ｉｄ（ｔｒａｎｓｐｏｒｔ＿ｓｔｒｅａｍ＿ｉｄ）を受け渡すとともに、当該ＴＳにて緊急警報放送が実施されていないことを通知し、Ｓ４０５へ進む。
【００３８】
Ｓ４０５：Ｓ４０１にて入力されたメディアストリームを、メディアストリーム送出機能１０６へ出力する。
【００３９】
なお、Ｓ４０３にて、入力されたメディアストリームに含まれるＴＳのＴＳ＿ｉｄを取得する方法としては、ＰＡＴより取得する方法以外にも、事前に入力されるメディアストリームと関連付けて手動で静的に設定された値を用いる方法がある。
【００４０】
また、Ｓ４０３やＳ４０４にて、緊急警報放送通知情報生成制御機能１０３から緊急警報放送通知情報生成機能１０７へ、緊急警報放送が実施されているか否かを通知する方法としては、たとえば、緊急警報放送が実施されているか否かを示すフラグを設けておき、緊急警報放送通知情報生成制御機能１０３がそのフラグの値を予め定めた緊急警報放送実施中であることを示す値、もしくは、予め定めた緊急警報放送を実施していないことを示す値に設定した上で、緊急警報放送通知情報生成制御機能１０３が緊急警報放送通知情報生成機能１０７へ緊急警報放送が実施されているか否かを示すフラグを受け渡す方法がある。
【００４１】
メディアストリーム送出機能１０６は、入力されたメディアストリームをＩＰネットワーク３００へ出力する。
【００４２】
緊急警報放送通知情報生成機能１０７では、緊急警報放送通知情報生成制御機能１０３から通知される緊急警報放送の実施情報を元に（緊急警報放送の実施情報とは、緊急警報放送通知情報生成制御機能１０３から緊急警報放送が実施されているかどうかを通知する情報と、ＴＳ＿ｉｄ、地域符号を示す）、緊急警報放送通知情報を生成（緊急警報放送の実施にあわせ、ＥＷＳ＿ｓｔａｒｔ＿ｆｌａｇ＿１、ＥＷＳ＿ｓｔａｒｔ＿ｆｌａｇ＿２、ｎｕｍ＿ｏｆ＿ａｒｅａ＿ｃｏｄｅ及びａｒｅａ＿ｃｏｄｅを更新）し、緊急警報放送通知情報送出機能１０８へ出力する。  なお、緊急警報放送通知情報生成制御機能１０３から緊急警報放送実施中となっているＴＳ＿ｉｄを１つでも受け取ると、ＥＷＳ＿ｓｔａｒｔ＿ｆｌａｇ＿１を１（予め定めた、緊急警報放送実施中であることを示す値）とする。なお、ＥＷＳ＿ｓｔａｒｔ＿ｆｌａｇ＿２及び地域符号（ａｒｅａ＿ｃｏｄｅ）については、緊急警報放送通知情報生成制御機能１０３から受け取るＴＳ＿ｉｄごとに管理され、緊急警報放送通知情報生成制御機能１０３から受け取ったＴＳ＿ｉｄに対応するＥＷＳ＿ｓｔａｒｔ＿ｆｌａｇ＿２のみ１（予め定めた緊急警報放送実施中であることを示す値）とし、同時に緊急警報放送通知情報生成制御機能１０３から受信した地域符号（ａｒｅａ＿ｃｏｄｅ）を設定する。
【００４３】
緊急警報放送通知情報送出機能１０８では、入力された緊急警報放送通知情報をＩＰネットワーク３００へ出力する。
【００４４】
次に、受信側装置２００の機能ブロック毎の処理フローを説明する。  
【００４５】
緊急警報放送通知情報受信機能２０１はＩＰネットワーク３００から緊急警報放送通知情報を常に受信し、緊急警報放送通知情報処理機能２０２へ出力する。
【００４６】
緊急警報放送通知情報処理機能２０２は緊急警報放送通知情報受信機能２０１から入力された緊急警報放送通知情報に含まれるＥＷＳ＿ｓｔａｒｔ＿ｆｌａｇ＿１の値を監視する（ＥＷＳ＿ｓｔａｒｔ＿ｆｌａｇ＿１の値が、予め定めた緊急警報放送の運用がなされている事を示す値（本実施例では、１）であるか否かを判定する）。
【００４７】
緊急警報放送の運用がなされている（ＥＷＳ＿ｓｔａｒｔ＿ｆｌａｇ＿１の値が１となる）場合には、緊急警報放送通知情報中の地域符号と設定値２０３に事前に設定された地域符号とを比較する（対象地域内の緊急警報放送が実施されていると判断するか否かの処理としては、たとえば、後述するＳ５０２にて取得した緊急警報放送通知情報中の地域符号の中に、受信側装置２００の設定値２０３に予め設定した地域符号が存在する場合に、対象地域内の緊急警報放送が実施されていると判断する方法がある。）。
【００４８】
対象地域となっている場合には、緊急警報放送の運用がなされている旨を通知する画面を提示（例えば図示省略のディスプレイに表示）し、緊急警報放送の視聴を促す。そしてユーザーによる操作（例えば図示省略のキーボードによる操作）にて、緊急警報放送の視聴が選択された際には、選局機能２０４に緊急警報放送が運用されている旨をそのＴＳ＿ｉｄとともに通知し、選局を指示する。緊急警報放送通知情報処理機能２０２の処理フロー例を図５とともに説明する。
【００４９】
Ｓ５０１：緊急警報放送通知情報受信機能２０１から緊急警報放送通知情報の入力を受け、Ｓ５０２へ進む。
【００５０】
Ｓ５０２：Ｓ５０１にて入力された緊急警報放送通知情報中のＥＷＳ＿ｓｔａｒｔ＿ｆｌａｇ＿１の監視を行い、値が１（予め定めた、緊急警報放送実施中であることを示す値）となっている場合にはＳ５０３へ進み、そうでない場合にはＳ５０７へ進む。
【００５１】
Ｓ５０３：Ｓ５０２にて取得した緊急警報放送通知情報中の地域符号と、受信機内に設定された、具体的には受信側装置２００の設定値２０３に事前に設定された地域符号とを比較し、対象地域内の緊急警報放送が実施されていると判断される場合はＳ５０４へ進み、そうでない場合はＳ５０７へ進む。
【００５２】
Ｓ５０４：緊急警報放送が実施されている旨をユーザーに画面表示や音声にて通知することで、ユーザーの視聴操作を促し、Ｓ５０５に進む。
【００５３】
Ｓ５０５：ユーザーにより緊急警報放送の視聴操作があった場合にはＳ５０６へ進み、視聴操作が行われない場合（視聴しない操作があった場合）にはＳ５０７へ進む（なお、Ｓ５０５にてユーザーの視聴操作を促した後、予め定めた一定時間が経過してもユーザー操作がなされなかった場合にはユーザーにより緊急警報放送の視聴操作がなされなかったとみなしてＳ５０７に進むこととしても良い。）。
【００５４】
Ｓ５０６：Ｓ５０１にて入力された緊急警報放送通知情報中より緊急警報放送が実施されているＴＳ＿ｉｄを抽出し、抽出したＴＳ＿ｉｄを選局機能２０４へ通知し、当該ＴＳ＿ｉｄのＴＳ中の緊急警報放送の選局動作の実施を指示する。
【００５５】
Ｓ５０７：緊急警報放送が実施されている旨をユーザーに画面表示や音声にて通知している場合には、その通知を中止する。そうでない場合には特に何も行わず、現在の状態を維持する。
【００５６】
選局機能２０４は受信機能２０５に対して、指定されたチャンネル（緊急警報放送通知情報処理機能２０２より通知されたＴＳ＿ｉｄで特定されるチャンネル）を受信するよう通知する（選局する指令を発する）。
【００５７】
受信機能２０５はＩＰネットワーク３００から選局機能２０４にて指定されたチャンネルのメディアストリームを受信し、ＰＳＩ処理機能２０６へ出力する。
【００５８】
ＰＳＩ処理機能２０６は受信機能２０５から入力されたメディアストリームよりＰＭＴを抽出し、緊急情報記述子を確認し、再生機能２０７へ緊急警報放送のメディアストリームを出力する。
【００５９】
再生機能２０７は、ＰＳＩ処理機能２０６から入力されるメディアストリームを再生する。
【００６０】
これにより、緊急警報放送をＩＰネットワークで伝送する際にも、対象となる地域ごとに緊急警報放送通知情報の出しわけを行わずに運用を行うことができる。
【００６１】
次に、ＩＰ放送、または、ＩＰ同時再送信において、緊急警報放送通知情報の地域ごとへの限定した配信を行わず、緊急警報放送の運用を行える本発明の実施例を示す。
【００６２】
（実施例１）
図６に本発明をＩＰ放送で利用した場合のシステム構成を示す。図６において、８０１は図３の送出側装置１００を備えたＩＰ化送出サーバである。８０２は、ＩＰ化送出サーバ８０１からＩＰネットワーク８０４を介して送出されるマルチキャストストリームを示している。８０３は図３の受信側装置２００を備えた受信機である。
【００６３】
前記ＩＰ放送で利用した場合、ＩＰ化送出サーバ８０１では放送番組を含んだマルチキャストストリーム８０２を送る機能を有する。受信機８０３では同マルチキャストストリーム８０２を受信し再生・表示できる機能を有する。
【００６４】
以下、ＩＰ放送での本実施例におけるシステム動作について記述する。  
【００６５】
（１）ＩＰ化送出サーバ８０１からは放送番組および緊急警報放送通知情報のマルチキャストストリーム８０２を送出する。この際、緊急警報放送通知情報の中に地域符号を埋め込んだ伝送を行う。
【００６６】
（２）受信機８０３では、前記マルチキャストストリーム８０２を受け、図３で説明した受信側装置２００の処理を行い、緊急警報放送の視聴を行う。
【００６７】
（実施例２）
図７に本発明をＩＰ同時再送信で利用した場合のシステム構成を示す。図７において、９０１は放送局設備であり、９０２は放送局設備９０１から送出されるデジタル放送波を示している。９０３は図３の送出側装置１００を備えたＩＰ化送出サーバである。９０４は、ＩＰ化送出サーバ９０３からＩＰネットワーク９０６を介して送出されるマルチキャストストリームを示している。９０５は図３の受信側装置２００を備えた受信機である。
【００６８】
前記放送局設備９０１では放送番組を含んだデジタル放送波９０２を送る機能を有する。ＩＰ化送出サーバ９０３はデジタル放送波９０２を受け、デジタル放送波９０２をマルチキャストストリーム９０４に変換して送出する機能を有する。受信機９０５では同マルチキャストストリーム９０４を受信し、再生・表示できる機能を有する。
【００６９】
以下、ＩＰ同時再送信での本実施例におけるシステム動作について記述する。
【００７０】
（１）放送局設備９０１からは放送番組の情報をのせたデジタル放送波９０２を送る。
【００７１】
（２）ＩＰ化送出サーバ９０３は、放送波９０２を受信し、マルチキャストストリーム９０４へ変換し送出する。この際、ＴＭＣＣの起動制御信号を緊急警報放送通知情報に変換し、さらにＰＭＴ中の地域符号を緊急警報放送通知情報の中に埋め込んだ伝送を行う。
【００７２】
（３）受信機９０５では、前記マルチキャストストリーム９０４を受け、図３で説明した受信側装置２００の処理を行い、緊急警報放送の視聴を行う。
【００７３】
また、本実施形態のＩＰ伝送における緊急警報放送配信システム、ＩＰ伝送における緊急警報放送配信システムの受信側装置の各手段の一部もしくは全部の機能をコンピュータのプログラムで構成し、そのプログラムをコンピュータを用いて実行して本発明を実現することができること、本実施形態のＩＰ伝送における緊急警報放送配信方法、ＩＰ伝送における緊急警報放送配信システムの受信側装置の処理方法の各手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ，ＨＤＤ，リムーバブルディスクなどに記録して、保存したり、配布したりすることが可能である。また、上記のプログラムをインターネットや電子メールなど、ネットワークを通して提供することも可能である。
【図面の簡単な説明】
【００７４】
【図１】本発明で利用する緊急警報放送通知情報の説明図。
【図２】本発明で利用する緊急警報放送通知情報のデータ構造を示す説明図。
【図３】本発明の実施形態例の機能ブロック図。
【図４】本発明の緊急警報放送通知情報生成制御機能での処理を示すフローチャート。
【図５】本発明の緊急警報放送通知情報処理機能での処理の一例を示すフローチャート。
【図６】本発明の実施例１のシステム構成図。
【図７】本発明の実施例２のシステム構成図。
【符号の説明】
【００７５】
１００…送出側装置、１０１…番組コンテンツ、１０２…再生機能、１０３…緊急警報放送通知情報生成制御機能、１０４…アンテナ、１０５…チューナー、１０６…メディアストリーム送出機能、１０７…緊急警報放送通知情報生成機能、１０８…緊急警報放送通知情報送出機能、２００…受信側装置、２０１…緊急警報放送通知情報受信機能、２０２…緊急警報放送通知情報処理機能、２０３…設定値、２０４…選局機能、２０５…メディアストリーム受信機能、２０６…ＰＳＩ処理機能、２０７…再生機能、３００，８０４、９０６…ＩＰネットワーク、８０１，９０３…ＩＰ化送出サーバ、８０２，９０４…マルチキャストストリーム、８０３、９０５…受信機、９０１…放送局設備、９０２…デジタル放送波。
【図１】
2010093660.tif 000003
【図２】
2010093660.tif 000004
【図３】
2010093660.tif 000005
【図４】
2010093660.tif 000006
【図５】
2010093660.tif 000007
【図６】
2010093660.tif 000008
【図７】
2010093660.tif 000009